(57)【要約】【課題】使用者の体格や接地環境による人体とアースとのインピーダンスの違いや外来ノイズの影響なく確実に入力操作が可能な加熱調理器を提供すること。【解決手段】操作入力手段と、接地手段とを備え、操作入力手段で入力操作する際に接地手段に人指が接することにより、指先の大きさや、接触抵抗あるいは通信用電波のような外来ノイズの影響なく確実に操作入力を検知することができ、使い勝手の良いものとなる。【選択図】図１
2006105471.tif 000002
【特許請求の範囲】
【請求項１】
フライパンや鍋などの被加熱物と、この被加熱物を載置するトッププレートと、前記被加熱物を加熱する加熱手段と、この加熱手段の加熱パワーを制御する制御手段と、前記トッププレートの底面側に配置され上面側の人指の接触を静電容量の変化により検知する操作入力手段と、前記トッププレートの上面側に金属等の導電体で構成され、電気的に接地されている接地手段を有し、前記操作入力手段で入力操作する際に前記接地手段に人指が接するように構成された加熱調理器。
【請求項２】
トッププレートの表側あるいは裏側に人指を触れて入力操作する操作領域が印刷等で描かれているタッチ部を有し、タッチ部に人指で接触し入力操作すると接地手段にも人指が触れるように構成された請求項１に記載の加熱調理器。
【発明の詳細な説明】
【技術分野】
【０００１】
本発明は、主として一般家庭で使用される加熱調理器に関するものである。
【背景技術】
【０００２】
従来、この種の加熱調理器は、操作領域に触れた指から人体を経由して床面や壁等のアースに電流が漏れることを利用して人指の接触を検知している（例えば、特許文献１参照）。
【０００３】
図４は、特許文献１に記載された従来の加熱調理器を示すものである。図４に示すように、トッププレート１４に置かれる調理鍋１５を加熱コイル１６から発生する高周波磁界により誘導加熱する加熱調理器において、加熱量を制御する制御部１７と、この制御部１７に使用者が命令を入力するための前記トッププレート１４の上面に設定した操作領域２０と、この操作領域２０と対向して前記トッププレート１４の裏面に設けられた導電体の検知部１９とを有し、使用者が前記操作領域２０に指で触れた時の静電容量変化を前記検知部１９で感知して、操作入力を検知し、制御部１８が加熱量を制御する構成としている。
【特許文献１】特開２００３−２７２８１６号公報
【発明の開示】
【発明が解決しようとする課題】
【０００４】
しかしながら、前記従来の構成では、操作領域２０に触れた指から人体を経由して床面や壁等のアースに電流が漏れることを利用して人指の接触を検知する基本原理のため、使用者の体格や使用環境により人体とアースとのインピーダンスが異なるため、インピーダンスの大きい場合は検知感度が悪いという課題を有していた。また通信用電波などの外来ノイズを人体がアンテナとなって受信したものが指先から検知部１９に注入されるため、指の接触を検知できないことがあるという課題を有していた。
【課題を解決するための手段】
【０００５】
前記従来の課題を解決するために、本発明の加熱調理器は、フライパンや鍋などの被加熱物と、この被加熱物を載置するトッププレートと、前記被加熱物を加熱する加熱手段と、この加熱手段の加熱パワーを制御する制御手段と、前記トッププレートの底面側に配置され上面側の人指の接触を静電容量の変化により検知する操作入力手段と、前記トッププレートの上面側に金属等の導電体で構成され、電気的に接地されている接地手段を有し、前記操作入力手段で入力操作する際に前記接地手段に人指が接するように構成された加熱調理器としたものである。
【０００６】
これによって、使用者が操作入力手段で入力操作をすると指先がアースに確実に接地されるので、使用者の体格や接地環境による人体とアースとのインピーダンスの違いや外来ノイズの影響なく確実に入力操作が可能な加熱調理器を提供することができる。
【発明の効果】
【０００７】
本発明の加熱調理器は、使用者が操作入力する際に指先が操作領域とアースの間を短絡することにより、指先の大きさや、接触抵抗あるいは通信用電波のような外来ノイズの影響なく確実に操作入力を検知することができ使い勝手の良いものである。
【発明を実施するための最良の形態】
【０００８】
第１の発明は、フライパンや鍋などの被加熱物と、この被加熱物を載置するトッププレートと、前記被加熱物を加熱する加熱手段と、この加熱手段の加熱パワーを制御する制御手段と、前記トッププレートの底面側に配置され上面側の人指の接触を静電容量の変化により検知する操作入力手段と、前記トッププレートの上面側に金属等の導電体で構成され、電気的に接地されている接地手段を有し、前記操作入力手段で入力操作する際に前記接地手段に人指が接するように構成された加熱調理器とすることにより、使用者が操作入力手段で入力操作をすると指先がアースに確実に接地されるので、指先の大きさや、接触抵抗あるいは外来ノイズの影響なく確実に入力操作が可能な加熱調理器を提供することができる。
【０００９】
第２の発明は、第１の発明においてトッププレートの表側あるいは裏側に人指を触れて入力操作する操作領域が印刷等で描かれているタッチ部を有し、タッチ部に人指で接触し入力操作すると接地手段にも人指が触れるように構成することによって、使用者が操作入力する場所が明確になり操作入力動作時に確実に操作領域と接地手段とを短絡するように指が接触するようにできるので、より確実な操作入力を行うことができる。
【００１０】
（実施の形態１）
図１、図２を用いて本発明の第１の実施の形態における加熱調理器を示すものである。
【００１１】
図１において、１はフライパンや鍋などの被加熱物を置くガラス製のトッププレート、２は前記被加熱物を誘導加熱する加熱コイル、３は加熱コイル２に高周波電流を供給するインバータ、４はインバータ３を制御して加熱コイル２への電力供給量を制御する制御手段である。これらにより被加熱物を誘導加熱する構成が成されている。５はトッププレート１の底面側に設けられた操作入力手段で導電性インクでトッププレート１の裏面に印刷されている。操作入力手段５は制御手段４とリード端子等で電気的に接続されている。６は操作入力手段５とトッププレート１を介して対向して設けられた導電性インクでトッププレート表面に印刷されている表電極である。７は導電性インクでトッププレート１の表電極に隣接して印刷されている接地手段で、フレーム８と電気的に接続されている。フレーム８はトッププレート１の端面を保護する金属体で、アースに電気的に接続されている。次に入力操作の検知原理を図３を用いて説明する。制御手段４は高周波パルス信号を発生する高周波パルス発生手段１０と、この高周波パルスの電圧レベルを受信部１１で検知する構成となっている。人の指が表電極６に接触すると、高周波パルス信号は操作入力手段５からトッププレート１を介して表電極６に抜け、人の指から人体を介してアースに抜けるために、受信部１１の電圧レベルが低下する。この変化をマイクロコンピュータ１２で検知して人指による操作入力を検知することができる。このとき、人体とアースの間のインピーダンスが大きいと、受信部１１の電圧レベルの低下が少ないため、操作入力を検知できない場合がある。また無線通信等の電波を人体がアンテナとなって受信し、その受信信号が指先から操作入力手段５を介して受信部１１に注入されるため、受信レベルが低下することなく操作入力を検知できない場合もある。
【００１２】
以上のように構成された加熱調理器について、以下その動作、作用を説明する。
【００１３】
図２での検知動作の説明では、高周波パルスが人指から人体を介してアースに抜けることによる受信レベルの変化を検知するものであったが、まず、図１の本発明では、高周波パルス信号は人指を介して金属導体のフレーム８よりアースに抜けるために、人体の対アースへのインピーダンスの影響を受けることなく、確実に操作入力動作を検知することができる。また無線通信等の外来ノイズを人体がアンテナになって受信しても指からフレーム８を介してアースに抜けるために操作入力動作の検知の妨げになることはない。
【００１４】
以上のように、本実施の形態においては、電気的に接地されている接地手段を設け、入力操作する際に接地手段に人指が接するように構成することにより、使用者が操作入力手段で入力操作をすると指先がアースに確実に接地されるので、使用者の体格や接地環境による人体とアースとのインピーダンスの違いや外来ノイズの影響なく確実に入力操作が可能な加熱調理器を提供することができる。
【００１５】
（実施の形態２）
図３を用いて本発明の第２の実施の形態における加熱調理器を示すものである。
【００１６】
図３においてトッププレート１の表面に操作領域９が印刷等で施されている。この操作領域は表電極６と接地手段７を包含するように構成されており、使用者がこの操作領域９に指を触れると、指先で表電極６と接地手段７とを短絡するようになっている。この構成により、使用者が操作入力を行う際に操作領域９に指で触れることにより人体とアースとのインピーダンスの影響を受けることなく、確実に操作入力を制御手段に検知させることができる。結果、使い勝手の良い加熱調理器を提供することが可能となる。
【産業上の利用可能性】
【００１７】
以上のように、本発明にかかる加熱調理器は、使用者の体格や使用環境による対アースへのインピーダンスの違いの影響を受けることなく、誰でも快適な操作入力が可能となるので、誘導加熱調理器等の用途にも適用できる。
【図面の簡単な説明】
【００１８】
【図１】本発明の実施の形態１における加熱調理器を示す図
【図２】本発明の実施の形態１における入力操作の検知原理を説明する図
【図３】本発明の実施の形態２における加熱調理器を示す図
【図４】従来の加熱調理器を示す図
【符号の説明】
【００１９】
１  トッププレート
２  加熱コイル
３  インバータ
４  制御手段
５  操作入力手段
７  接地手段
９  操作領域
【図１】
2006105471.tif 000003
【図２】
2006105471.tif 000004
【図３】
2006105471.tif 000005
【図４】
2006105471.tif 000006